(57)【要約】【課題】健康データから算出した健康度を活用して健康管理に寄与する健康管理支援方法および装置を提供する。【解決手段】健康状態を表す複数の健康データ項目からなる健康データを用いる健康管理支援方法において、健康データ項目設定過程１１０と健康データ改善経路設定過程１２０と健康管理効果算出過程１３０と健康管理効果表示過程１４０を備える。【効果】健康データ項目と健康データ改善方法とを設定可能にし、健康データ改善途上の健康度の変化を定量的に算出して表示し利用者の健康管理を効果的に支援する。【選択図】  図１
2004246521.tif 000002
【特許請求の範囲】
【請求項１】
健康状態を表す複数の健康データ項目からなる健康データを用いて総合的な健康状態を指標化した健康度を利用する健康管理支援方法において、健康管理の対象とする前記健康データ項目を設定する健康データ項目設定過程と、利用者の現在の健康データである現健康データと前記利用者の目標とする健康データである目標健康データとに基づいて前記現健康データから前記目標健康データへの経路である健康データ改善経路を設定する健康データ改善経路設定過程と、設定された前記健康データ改善経路に沿った健康度の変化を算出する健康管理効果表示過程と、算出された前記件子度の変化を表示する健康管理効果表示過程とを有することを特徴とする健康管理支援方法。
【請求項２】
請求項１記載の健康管理支援方法において、前記健康データ項目設定過程は、健康度への影響が大きい健康データ項目を抽出した結果を用いて前記健康管理の対象とする前記健康データ項目の設定を支援する健康データ項目設定支援過程を有することを特徴とする健康管理支援方法。
【請求項３】
請求項１に記載の健康管理支援方法において、前記健康データ改善経路設定過程は、前記利用者の最新の現健康データを設定する現健康データ設定支援過程を有し、前記健康データ改善経路設定過程は、設定された前記現健康データを用いることを特徴とする健康管理支援方法。
【請求項４】
請求項１に記載の健康管理支援方法において、前記健康データ改善経路設定過程は、前記利用者が目標とする健康度に基づいて目標健康データを設定する目標健康データ設定支援過程を有し、前記健康データ改善経路設定過程は、設定された前記目標健康データを用いることを特徴とする健康管理支援方法。
【請求項５】
請求項１に記載の健康管理支援方法において、前記健康データ改善経路設定過程は、予め定めた基準に従って前記健康データ改善経路を設定する健康データ改善経路設定支援過程を有し、前記健康データ改善経路設定過程は、前記健康データ改善経路設定支援過程で設定された前記健康データ改善経路を用いることを特徴とする健康管理支援方法。
【請求項６】
請求項１に記載の健康管理支援方法において、前記健康管理効果算出過程は、前記健康データ項目設定過程で設定した前記健康データ項目に対する健康度を算出する健康度算出過程を有し、前記健康管理効果表示過程は、前記健康データ改善経路設定過程で設定した前記健康データ改善経路と前記健康度算出過程で算出された健康度とを表示することを特徴とする健康管理支援方法。
【請求項７】
健康状態を表す複数の健康データ項目からなる健康データを用いて総合的な健康状態を指標化した健康度を利用する健康管理支援装置において、前記健康データを記憶する記憶手段と、健康管理の対象とする前記健康データ項目を設定する健康データ項目設定手段と、利用者の現在の健康データである現健康データと前記利用者の目標とする健康データである目標健康データとに基づいて前記現健康データから前記目標健康データへの経路である健康データ改善経路を設定する健康データ改善経路設定手段と、設定された前記健康データ改善経路に沿った健康度の変化を算出する健康管理効果算出手段と、算出された前記健康度の変化を表示する健康管理効果表示手段とを有することを特徴とする健康管理支援装置。
【発明の詳細な説明】
【０００１】
【発明の属する技術分野】
健康管理に寄与する件子管理支援方法及び健康管理支援装置に関する。
【０００２】
【従来の技術】
生活習慣病は、個人の属性や生活習慣、生理値など、多数の要因を持つ。生活習慣病の予防健康管理を支援するため、これらの要因から総合的な健康度を評価する健康管理方法及び装置がこれまでに報告されている。
【０００３】
第１の従来例として、健康増進データ出力装置がある（特許文献１参照）。この装置は、多人数の検査データを収集し、独自の指数化方式により検査データを個人別に指数化したランク指数と、前回検査データとの差を個人別に指数化した変化量ランク指数と、個人の検査データの変化量と多数の人の検査データの変化量の差を指数化した変化量偏差ランク指数を計算し、これら３つの指数から健康度Ｋを算出する。第１の従来例においては、検査データの正常範囲と検査データの時間変化と検査データの個人差を指標化することによって、正常範囲の年齢による違いや、検査データの項目ごとの単位・スケールの違いに起因する問題を解消し、被験者に理解しやすい、総合的な健康度を算出できる。
【０００４】
第２の従来例として、検査異常予測装置、検査異常発生予測方法、検査異常発生予測テーブル作成方法およびそれらのプログラム記録媒体、並びに健康教育支援システムがある（特許文献２）。この装置は、多人数の健康データを収集し、検査値ランク、性、年齢、生活習慣、家族歴別に健康データを分類し、分類別に、将来検査値異常が発生する危険率を統計的に算出し、その結果を検査異常発生予測テーブルとする。次に、予め作成されたこの検査異常発生予測テーブルを参照して、健診受診者の検診データから、健診受診者が将来検査値異常を起こす危険率を予測する。第２の従来例では、受診者の長期にわたる健康データを用い、検査値異常の要因と考えられる項目によって健康データを分類し、統計的に解析することで、単純な時系列予測や医師の推論に基づく検査値異常発生予測の精度を向上させ、実データに基づいた検査値異常の長期予測ができる。
【０００５】
【特許文献１】
特開平５−２５０４２３号広報
【特許文献２】
特開２００２−１８３６４７号広報
【０００６】
【発明が解決しようとする課題】
上記の従来技術では、個人の健康データを元に健康度を算出するが、健康度を活用して健康管理に寄与することまで考慮した健康管理支援方法または健康管理支援装置ではなかった。本発明はこのような事情を考慮してなされたものである。
【０００７】
本発明の目的は、健康データから算出した健康度などを活用して健康管理に寄与する健康管理支援方法および健康管理支援装置を提供することにある。
【０００８】
【課題を解決するための手段】
上記目的を達成するために、本発明の健康管理支援方法は、健康状態を表す複数の健康データ項目からなる健康データを用いて総合的な健康状態を指標化した健康度を利用する健康管理支援方法において、以下の特徴を有している。
【０００９】
（１）健康管理の対象とする健康データ項目を設定する健康データ項目設定過程と、利用者の現在の健康データである現健康データと利用者の目標とする健康度である目標健康データとをもとに現健康データから目標健康データへの経路である健康データ改善経路を設定する健康データ改善経路設定過程と、健康データ改善経路設定過程で設定した健康データ改善経路に沿った健康度の変化を算出する健康管理効果算出過程と、算出された健康度の変化を表示する健康管理効果表示過程とを有すること。
【００１０】
（２）健康データ項目設定過程は、健康度への影響が大きい健康データ項目を抽出した結果を用いて健康管理の対象とする健康データ項目の設定を支援する健康データ項目設定支援過程を有すること。
【００１１】
（３）健康データ改善経路設定過程は、利用者の最新の健康データを設定する現健康データ設定支援過程を有し、健康データ改善経路設定過程は、現健康データ設定支援過程で設定された現健康データを用いること。
【００１２】
（４）健康データ改善経路設定過程は、利用者が目標とする健康度に基づいて目標健康データを設定する目標健康データ設定支援過程を有し、健康データ改善経路設定過程は、目標健康データ設定支援過程で設定された目標健康データを用いること。
【００１３】
（５）健康データ改善経路設定過程は、予め定めた基準に従って健康データ改善経路を設定する健康データ改善経路設定支援過程を有し、健康データ改善経路設定過程は、健康データ改善経路設定支援過程で設定された健康データ改善経路を用いること。
【００１４】
（６）健康管理効果算出過程は、健康データ項目設定過程で設定した健康データ項目に対する健康度を算出する健康度算出過程を有し、前記健康管理効果表示過程は、健康データ改善経路設定過程で設定した健康管理改善経路と健康度算出過程で算出された健康度とを表示すること。
【００１５】
本発明の健康管理支援装置は、健康状態を表す複数の健康データ項目からなる健康データを用いて総合的な健康状態を指標化した健康度を利用する健康管理支援装置において、次の特徴を有する。健康データを記憶する記憶手段と、件子管理の対象とする健康データ項目を設定する健康データ項目設定手段と、利用者の現在の健康データである現健康データと利用者の目標とする健康データである目標健康データとに基づいて現健康データから目標健康データへの経路である健康データ改善経路を設定する健康データ改善経路設定手段と、設定された健康データ改善経路に沿った健康度の変化を算出する健康管理効果算出手段と、算出された健康度の変化を表示する健康管理効果表示手段とを有すること。
【００１６】
本発明では、健康管理効果を表す健康度の変化を算出し、現在の健康状態と健康管理の目標とする状態に対応する健康度の他に、現在から目標達成までの経過に対応する健康度も算出することで健康管理に寄与する健康管理支援方法および健康管理支援装置を提供できる。
【００１７】
【発明の実施の形態】
本発明は、検査値、問診値、血圧計や尿糖検査器等の各種測定機器による測定結果、生活習慣に関する情報、個人属性、既往歴、家族歴、受療状況のうち少なくとも１つを含み、複数の項目からなる健康データを用いて、検査値の正常値からのずれ、標準値からのずれ、疾病リスク等、健康度を算出する健康管理支援方法であり、さらに、本方法を実装した装置の利用者または運用者が健康管理方法を設定した後、設定された健康管理方法の効果を健康度として算出し、表示することで健康管理を支援する。なお、本実施例では、説明上、健康度は値が大きいほど健康であることを示し、その値はおよそ２０から３０までを取るものと仮定する。以下、本発明の実施例を図面を参照して詳細に説明する。
（第１の実施例）
図１は、本発明の第１の実施例の処理フローの一例を説明する図である。１００は処理の開始、１１０は健康データ項目設定過程、１２０は健康データ改善経路設定過程、１３０は健康管理効果算出過程、１４０は健康管理効果表示過程、１５０は処理の終了である。ただし、健康データ項目とは、上記の健康データを構成する項目を指す。健康データ改善経路設定過程１１０では、健康管理の対象とする健康データ項目を設定する。健康データ改善経路設定過程１２０では、健康データ改善経路を設定する。
【００１８】
健康データ改善経路とは、健康データ項目設定過程１１０で設定した健康データ項目の変化のさせ方を記述したもので、例えば、健康データ項目を軸にして張った空間において、現在の健康データを始点、目標とする健康データを終点として描いた曲線である。過程１２０の詳細は後述する。健康管理効果算出過程１３０では、健康データ改善経路設定過程で設定した健康データ改善経路に沿った健康度の変化を算出する。健康管理効果表示過程１４０では、健康管理効果算出過程１３０による算出結果を表示する。
【００１９】
図２は、本発明の第１の実施例の健康データ改善経路設定過程１２０（図１）の処理フローの一例を説明する図である。
過程１２０が開始されると（２００）、まず、利用者の現在の健康データである現健康データを設定し（２１０）、次に、利用者の目標とする健康データである目標健康データを設定し（２２０）、最後に、現健康データから目標健康データへの経路である健康データ改善経路を設定し（２３０）、過程１２０を終了する（２４０）。
【００２０】
図３は本発明の第１の実施例の健康管理効果表示過程１４０（図１）を実現する装置の画面例である。３００は健康管理効果を表示する健康管理効果表示領域、３１０は健康データ項目設定過程１１０で設定した健康データ項目を表示する健康データ項目表示領域、３２０は健康データ改善経路設定過程１２０で設定した健康データ改善経路を表示する健康データ改善経路表示領域、３３０は健康データ改善経路に沿った健康度の変化を表示する健康度変化表示領域である。
【００２１】
次に、第１の実施例の処理の一例を説明する。本例は、全ての設定を利用者が行うとして説明するが、本発明の健康管理支援方法を実装したシステムに運用者と利用者が存在し、一部の設定を運用者が行うような形態も可能である。まず、利用者は、例えば、摂取カロリーと血糖値を健康データ項目に設定する（図１の１１０）。この場合、以後、上記２項目を健康管理の対象とした時の健康管理効果を算出することになる。
【００２２】
次に利用者は、例えば、現健康データを摂取カロリー３０００ｋｃａｌ、血糖値５０に設定し（図２の２１０）、目標健康データを摂取カロリー２２００ｋｃａｌ、血糖値９０に設定する（図２の２２０）。さらに現健康データ−目標健康データ間を結ぶ曲線（本例では直線）上の点（本例では直線を８等分した値）による表現を用いて健康データ改善経路を設定する（図２の２３０）。すると、健康管理効果算出過程１３０が経路に沿った健康度を算出し、算出結果を図１の健康管理効果算出過程１４０が表示装置に表示する。
【００２３】
図４は、本発明の第１の実施例の健康管理効果表示領域３００（図３）を概念的に示した図であり、便宜上、表示内容を２通り仮定して示した例である。図４（ａ）、図４（ｂ）において、３１０は健康データ項目表示領域、３２０は健康データ改善経路表示領域であり、健康度変化表示領域３３０と同一の領域である。図４（ａ）、図４（ｂ）において、４０１と４０２は現健康データ、４１１と４１２は目標健康データ、４２１と４２２は健康データ改善経路、４３１と４３２は健康データ項目を変化させたときの健康度の値である。図４（ｄ）、図４（ｅ）において、４５１と４５２はそれぞれ健康データ改善経路４２１、４２２に沿った健康度の変化をグラフ表示した結果である。図４（ｃ）は健康度のスケールを示す。
【００２４】
図１の健康管理効果表示過程１４０による表示内容は、図４の４０１、４１１、４２１、４３１、４４１、４５１によって概念的に示される。例えば、本例では、４５１に示すように、健康データの直線的な変化に対して健康度は上に凸の単調増加をするという結果が表示される。この表示から利用者は、摂取カロリーと血糖値の改善に対して、健康管理効果は単調に増加すること、健康管理の後半に大きい効果が得られることがわかる。
【００２５】
図４の４０２、４１２、４２２、４３２、４４２、４５２は、健康管理効果表示過程１４０の表示内容の第２の例であり、健康データに対する健康度の変化が４３２のようであり、かつ、健康データ改善経路が４２２のような場合には、４５２は直線的となり、健康データの直線的な変化に対して健康度は直線的に増加するという結果が健康管理効果算出過程１３０により得られ、健康管理効果表示過程１４０により表示される。この表示から利用者は、ＢＭＩと尿酸値の改善に対して、健康管理効果は単調に増加すること、目標達成までの間、一定の効果が得られることがわかる。
【００２６】
第１の実施例の処理によって、次のことが可能になる。まず、健康管理データ項目設定過程１１０と健康データ改善経路設定過程１２０によって多彩な組み合わせの健康データ改善経路を設定できるため、多彩な健康管理方法に対してその効果を算出できるようになり、利用者別に健康管理方法をカスタマイズできるため、健康状態や健康管理意欲等の個人差まで反映した実践的な健康管理方法を提供できるという効果が得られる。また、健康管理効果算出過程１３０によって、利用者の設定に従って、健康データ改善経路上の複数の点で健康度が算出され、算出結果が健康管理効果表示過程１４０により表示されるため、目標達成までの経過を定量的かつ詳細を把握でき、利用者の健康管理を効果的に支援できるという効果が得られる。
（第２の実施例）
第２の実施例は、第１の実施例の健康データ項目設定過程１１０に健康データ項目設定支援過程５３０を追加した例であり、健康データ項目設定支援過程５３０を用いて、健康度への影響が大きい健康データ項目を予め定めた方法に従って抽出することで、健康管理に最も効果的な健康データ項目を健康管理の対象に容易に設定することが可能になり、最適な健康管理方法を提示できるという効果が得られる。
【００２７】
図５は、本発明の第２の実施例の健康データ項目設定過程の処理フローの一例を説明する図である。５００は処理の開始、５１０は健康データ項目設定支援過程５３０の利用に関する条件分岐、５２０は図１の健康データ項目設定過程１１０と同様の健康データ項目設定処理、５３０は健康データ項目抽出処理５４０、抽出結果設定処理５５０からなる健康データ項目設定支援過程、５６０は処理の終了である。条件分岐５１０は、本方法を実装した装置の利用者または運用者が、健康データ項目設定過程５３０の利用を指示する場合と、利用しないことを指示する場合とで処理を分ける分岐である。健康データ項目設定支援処理５２０は、健康データ項目設定過程５３０を利用しないことが指示された場合に実行され、健康データ項目設定過程１１０と同様に、本方法を実装した装置の利用者または運用者の入力に従って健康データ項目を設定する。
【００２８】
健康データ項目設定支援過程５３０は、健康データ項目抽出処理５４０、抽出結果設定処理５５０からなり、本方法を実装した装置の利用者または運用者が利用を指示した場合に実行され、健康データ項目の設定を支援する。健康データ項目抽出処理５４０は、予め定めた方法によって、健康度への影響が大きい健康データ項目を抽出する。抽出方法としては、例えば、統計的知見に基づく方法や、主成分分析または相関係数等実データの分析結果を用いる方法を用いることができる。抽出結果設定処理５５０は、健康データ項目抽出処理５４０の結果を健康管理の対象とする健康データ項目に設定する。
【００２９】
次に、第２の実施例の処理の一例を説明する。はじめに、本方法を実装した装置の利用者または運用者は、本方法を実装した装置において健康データ設定支援過程の利用を指示する操作を行う。すると、健康データ項目抽出処理５４０は、例えば、本人を含む多人数分の実データを参照し、健康度との相関係数を算出し、相関係数の絶対値が大きい順に健康データ項目を順序付ける。
【００３０】
次に、抽出結果設定処理５５０において、本方法を実装した装置の利用者または運用者が、健康データ項目の設定に必要な全ての情報、たとえば健康管理の対象とする健康データ項目の数を２と入力すると、抽出結果設定処理５５０は健康データ項目抽出処理５４０の順序付けた健康データ項目の上位２項目、例えば、摂取カロリーと血糖値を健康管理の対象とする健康データ項目に自動的あるいは対話的に設定する。その後、本方法を実装した装置の利用者または運用者は、第１の実施例の健康データ改善経路設定過程１２０以下の処理を行う。
【００３１】
第２の実施例において、健康データ項目設定支援過程５３０を用いて、健康度への影響が大きい健康データ項目を予め定めた方法に従って抽出することで、健康管理に最も効果的な健康データ項目を健康管理の対象に容易に設定することが可能になり、最適な健康管理方法を提示できるという効果が得られる。
（第３の実施例）
第３の実施例は、第１の実施例の現健康データ設定処理２１０に現健康データ設定支援過程６３０を追加した例であり、現健康データ項目設定支援過程６３０を用いて、利用者の最新の健康データを読み取って現健康データに設定することで、簡便に現健康データを設定することが可能になり、本方法を実装した装置の使い勝手を向上できる。
【００３２】
図６は、本発明の第３の実施例の現健康データ設定過程の処理フローの一例を説明する図である。６００は処理の開始、６１０は現健康データ設定支援過程６３０の利用に関する条件分岐、６２０は図２の現健康データ設定過程２１０と同様の現健康データ設定処理、６３０は最新健康データ抽出処理６４０、抽出結果設定処理６５０からなる現健康データ設定支援過程、６６０は処理の終了である。
【００３３】
条件分岐６１０は、本方法を実装した装置の利用者または運用者が、現健康データ設定過程６３０の利用を指示する場合と、利用しないことを指示する場合とで処理を分ける分岐である。現健康データ設定処理６２０は、現健康データ設定支援過程６３０を利用しないことが指示された場合に実行され、現健康データ設定過程２１０と同様に、本方法を実装した装置の利用者または運用者の入力に従って現健康データを設定する。
【００３４】
現健康データ項目設定支援過程６３０は、最新健康データ抽出処理６４０、抽出結果設定処理６５０からなり、本方法を実装した装置の利用者または運用者が利用を指示した場合に実行されて現健康データ項目の設定を支援する。現健康データ抽出処理６４０は、予め定めた方法によって、利用者の最新の健康データを抽出する。
【００３５】
抽出方法としては、例えば、本方法を実装した装置が健康データをデータベースを用いて管理している場合はデータベースを検索する。あるいは、本方法を実装した装置が測定機器を追加している場合は測定を行い、測定結果を入力する方法を用いることができる。抽出結果設定処理６５０は、現健康データ抽出処理６４０の結果を自動的あるいは対話的に現健康データに設定する。
【００３６】
次に、第３の実施例の処理の一例を説明する。健康データ項目は設定済みであるとする。まず、本方法を実装した装置の利用者または運用者は、本方法を実装した装置において現健康データ設定支援過程の利用を指示する操作を行う。すると、最新健康データ項目抽出処理６４０により、例えば、本例では本方法を実装した装置が健康データをデータベースを用いて管理しているとして、データベースを検索して利用者の最新の健康データを抽出し、抽出結果が、抽出結果設定処理６５０によって現健康データに設定される。以下、本方法を実装した装置の利用者または運用者は、第１の実施例の目標健康データ設定処理２２０以下の処理を行う。
【００３７】
第３の実施例において、現健康データ項目設定支援過程６３０を用いて、利用者の最新の健康データを読み取って現健康データに設定することで、簡便に現健康データを設定することが可能になり、本方法を実装した装置の使い勝手を向上できる。
（第４の実施例）
第４の実施例は、第１の実施例の目標健康データ設定処理２２０に目標健康データ設定支援過程７３０を追加した例であり、目標健康データ項目設定支援過程７３０を用いて、利用者が目標とする健康度に基づいて目標健康データを設定した結果、本方法を実装した装置の利用者または運用者が健康度データと健康度の関係に関する十分な知識を持つことが困難な場合でも、健康度を向上させるような健康データを目標健康データに設定する支援が可能になり、誰でも適切な目標健康データを設定できるという効果が得られる。
【００３８】
図７は、本発明の第４の実施例の目標健康データ設定処理の処理フローの一例を説明する図である。７００は処理の開始、７１０は目標健康データ設定支援過程７３０の利用に関する条件分岐、７２０は図２の目標健康データ設定過程２２０と同様の目標健康データ設定処理、７３０は目標健康データ設定支援過程、７７０は処理の終了である。
目標健康データ設定支援過程７３０は、目標健康データを決めるための条件文の形態によって以下の処理を２通りに分ける条件分岐７４０、条件分岐７４０によって２通りの処理のうち一方に分岐した場合に実行される目標健康データ算出処理７５０と算出結果設定処理７５１、他方に分岐した場合に実行される最低健康度入力処理７６０、目標健康データ領域算出処理７６１、最適健康データ算出処理７６２、算出結果設定処理７６３からなる。７７０は処理の終了である。
【００３９】
条件分岐７１０は、本方法を実装した装置の利用者または運用者が、目標健康データ設定過程７３０の利用を指示する場合と、利用しないことを指示する場合とで処理を分ける分岐である。目標健康データ設定処理７２０は、目標健康データ設定支援過程７３０を利用しないことが指示された場合に実行され、目標健康データ設定過程２２０と同様に、本方法を実装した装置の利用者または運用者の入力に従って目標健康データを設定する。
【００４０】
目標健康データ項目設定支援過程７３０は、条件分岐７４０と分岐以下の２通りの処理からなり、本方法を実装した装置の利用者または運用者が利用を指示した場合に実行され、目標健康データ項目の設定を支援する。条件分岐７４０は、本方法を実装した装置の利用者または運用者が、最良の健康度を与えるという条件によって目標健康データを決定するよう指示した場合（分岐７４１）と、ある値より良い健康度を与えるという条件によって目標健康データを決定するよう指示した場合（分岐７４２）とで処理を分ける。
【００４１】
最良の健康度を与えるという条件によって目標健康データを決定するよう指示した場合に実行される処理（分岐７４１）は、目標健康データ算出処理７５０と算出結果設定処理７５１からなり、目標健康データ算出処理７５０が最大の健康度を与える健康データを算出し、算出結果設定処理７５１が目標健康データ算出処理７５０の算出結果を目標健康データに自動的または対話的に設定する。
【００４２】
一方、ある値より良い健康度を与えるという条件によって目標健康データを決定するよう指示した場合に実行される処理（分岐７４２）は、最低健康度入力処理７６０、目標健康データ領域算出処理７６１、最適健康データ算出処理７６２、算出結果設定処理７６３からなり、最低健康度入力処理７６０が、本方法を実装した装置の利用者または運用者が目標とする健康度の最小値を入力し、目標健康データ領域算出処理７６１が最低健康度入力処理７６０が入力した値以上の健康度を与える健康データ全てを算出し、最適健康データ算出処理７６２が、予め定めた距離の定義を用いて、目標健康データ領域算出処理７６１で算出した健康データのうち現健康データとの距離が最小の健康データを算出し、算出結果設定処理７６３が最適健康データ算出処理７６２で選出した健康データを目標健康データに自動的あるいは対話的に設定する。
【００４３】
最適健康データ算出処理７６２が用いる距離の定義は、例えば、健康データ間のユークリッド的距離や、健康度を健康データの関数とみなしたとして、関数上の距離、という定義を用いることができる。
【００４４】
次に、第４の実施例の処理の一例を図８を用いて説明する。図８は、本発明の方法を実装した装置の健康管理効果表示過程１４０を実現する装置の画面例であり、健康データ項目設定過程１１０、健康データ改善経路設定過程１２０の設定内容が反映される。
【００４５】
本例では、健康データ改善経路表示領域３２０と健康度変化表示領域３３０は同一の領域である。８００は現健康データ設定処理２１０により設定された現健康データ、８１０は目標健康データ領域算出処理７６１によって算出された２６以上の健康度を与える健康データの集合、８２０は最適健康データ算出処理７６２でユークリッド的な距離の定義を用いて選出した健康データである。
【００４６】
本方法を実装した装置の利用者または運用者の行う操作は以下の通りである。健康データ項目は摂取カロリーと血糖値に、現健康データは摂取カロリー３０００、血糖値５０と設定済みとする。まず、本方法を実装した装置の利用者または運用者は、目標健康データ設定支援過程の利用を指示する操作を行う。本例では値が大きいほど良い健康状態を示すような定義の健康度を用いるとしたので、本方法を実装した装置の利用者または運用者はさらに、２６以上の健康度を与える健康データを目標健康データに設定することを指示する操作を行う。
【００４７】
すると、最低健康度入力処理７６０が２６という値を取り込み、目標健康データ領域算出処理７６１が２６以上の健康度を与える健康データの集合である８１０を算出し、最適健康データ算出処理７６２がユークリッド的な距離の定義を用いて、健康データの集合８１０のうち現健康データ８００との距離が最小の健康データ８２０を算出し、算出結果設定処理７６３が健康データ８２０を目標健康データに自動的あるいは対話的に設定する。その後、第１の実施例の健康データ改善経路設定処理２３０以降の処理が行われる。
【００４８】
第４の実施例において、目標健康データ項目設定支援過程７３０を用いて、利用者が目標とする健康度に基づいて目標健康データを設定した結果、本方法を実装した装置の利用者または運用者が健康度データと健康度の関係に関する十分な知識を持つことが困難な場合でも、健康度を向上させるような健康データを目標健康データに設定する支援が可能になり、誰でも適切な目標健康データを設定できるという効果が得られる。
（第５の実施例）
第５の実施例は、第１の実施例の健康データ改善経路設定処理２３０に健康データ改善経路設定支援過程９３０を追加した例であり、健康データ改善経路設定支援過程９３０を用いて、予め定めた基準に従って健康データ改善経路を設定することで、健康管理に最も効果的な健康データ改善経路を設定することが可能になり、最適な健康管理方法を提示できるという効果が得られる。
【００４９】
図９は、本発明の第５の実施例の健康データ改善経路設定処理の処理フローの一例を説明する図である。９００は処理の開始、９１０は健康データ改善経路設定支援過程９３０の使用に関する条件分岐、９２０は図２の健康データ改善経路設定処理２３０と同様の健康データ改善経路設定処理、９３０は健康データ改善経路算出処理９４０、算出結果設定処理９５０からなる健康データ改善経路設定支援過程、９６０は処理の終了である。
【００５０】
条件分岐９１０は、本方法を実装した装置の利用者または運用者が、健康データ改善経路設定支援過程９３０の利用を指示する場合と、利用しないことを指示する場合とで処理を分ける分岐である。健康データ改善経路設定処理９２０は、健康データ改善経路設定支援過程９３０を利用しない場合に実行され、健康データ改善経路設定処理２３０と同様に、本方法を実装した装置の利用者または運用者の入力に従って健康データ改善経路を設定する。
【００５１】
健康データ改善経路設定支援過程９３０は、９３０は健康データ改善経路算出処理９４０、算出結果設定処理９５０からなり、本方法を実装した装置の利用者または運用者が利用を指示した場合に実行され、健康データ項目の設定を支援する。健康データ改善経路算出処理９４０は、予め定めた方法によって健康データ改善経路を算出する。
【００５２】
算出方法としては、例えば、健康データ改善の難易度を考慮した方法や、主成分分析等実データの分析結果を用いた方法を用いることができる。算出結果設定処理９５０は、健康データ改善経路算出処理９４０の算出結果を健康データ改善経路に自動的あるいは対話的に設定する。
【００５３】
次に、第５の実施例の処理の一例を説明する。本過程の開始前に、健康データ項目は摂取カロリーと血糖値に、現健康データは摂取カロリー３０００、血糖値５０、目標健康データは摂取カロリー２２００、血糖値９０と設定済みであるとする。
【００５４】
はじめに、本方法を実装した装置の利用者または運用者は、本方法を実装した装置において健康データ改善経路設定支援過程９３０の利用を指示する。すると、健康データ改善経路算出処理９４０により、例えば、健康度を健康データの関数とみなしたときに、関数上の距離が最短となるという基準で健康データ改善経路が算出される。次に、算出結果設定処理９５０によって、健康データ改善経路の算出結果が健康データ改善経路に設定される。その後、第１の実施例の健康管理効果算出過程１３０以下の過程が実行される。
【００５５】
第５の実施例において、健康データ改善経路設定支援過程９３０を用いて、予め定めた基準に従って健康データ改善経路を設定することで、健康管理に最も効果的な健康データ改善経路を設定することが可能になり、最適な健康管理方法を提示できるという効果が得られる。
（第６の実施例）
第６の実施例は、第１の実施例の健康管理効果算出過程１３０に健康データ項目設定過程１１０で設定した健康データ項目に対する健康度を算出する健康度算出過程１０１０を追加し、健康データ改善経路設定過程１２０で設定した健康管理改善経路と健康度算出過程１０１０で算出された健康度とを健康管理効果表示過程１４０により表示することを特徴とする健康管理支援方法の例であり、健康度算出過程１０１０を用いて健康データ項目に対して算出した健康度と、健康管理改善経路とを表示することで、健康管理改善経路と健康度の関係を明確に視覚化が可能になり、健康データ改善経路の設定を容易にするという効果が得られ、さらに健康データ改善経路の修正方法を示唆可能になるという効果が得られる。
【００５６】
図１０は、本発明の第６の実施例の健康管理効果表示過程の処理フローの一例を説明する図である。健康管理効果表示過程が開始されると（１０００）、健康データ項目設定過程１１０で設定された健康データ項目に対する健康度が算出され（１０１０）、算出された健康度と健康データ改善経路設定過程１２０で設定した健康管理改善経路とが表示され（１０２０）、処理が終了する（１０３０）。
【００５７】
図１１は本発明の第６の実施例の健康管理効果表示過程１４０を実現する装置の画面例である。３００は健康管理効果表示領域、３１０は健康データ項目表示領域、３２０は健康データ改善経路表示領域であり、３３０は健康度変化表示領域であり本例では健康データ改善経路表示領域３２０と同一の領域となっている。１１００は健康管理改善経路である。１１１０は健康度算出過程１０１０を用いて、健康データ項目に対して算出した健康度である。
【００５８】
第６の実施例において、健康度算出過程１０１０を用いて健康データ項目に対して算出した健康度と、健康管理改善経路とを表示することで、健康管理改善経路と健康度の関係を明確に視覚化が可能になり、健康データ改善経路の設定を容易にするという効果が得られ、さらに健康データ改善経路の修正方法を示唆可能になるという効果が得られる。
（第７の実施例）
図１２は本発明の第７の実施例におけるシステム構成を表すブロック図である。本例では、第１から第６の実施例で説明した健康管理支援方法を実現する装置は２個のサーバと２個の端末によって構成され、運用者と利用者と保険者等、健康データを保持する施設とが操作するとする。また、本例では、健康度を算出するために多人数の健康データを参照する必要があるとする。１２００は健康データ送信端末、１２１０は運用者用データベースサーバ、１２２０は運用者用処理サーバ、１２３０は利用者用情報参照端末である。
【００５９】
健康データ送信端末１２００は、保険者等、健康データを保持する施設から運用者用データベースサーバ１２１０へ健康データを送信する。運用者用データベースサーバ１２１０は、健康データ等を管理する。運用者用処理サーバ１２２０は、健康管理効果算出過程１３０を具備し、健康度の算出を行う。利用者用情報参照端末１２３０は健康データ項目設定過程１１０と健康データ改善経路設定過程１２０と健康管理効果表示過程１４０を具備し、健康管理方法の設定と健康管理効果の表示を行う。
【００６０】
次に、第７の実施例の処理の一例を説明する。第７の実施例では、保険者等、健康データを保持する施設が健康データ送信端末１２００を、運用者が運用者用データベースサーバ１２１０と運用者用処理サーバ１２２０を、利用者が利用者用情報参照端末１２３０を管理するとする。管理者は、健康データ送信端末１２００から運用者用データベースサーバ１２１０へ健康データを定期的に読み込み、例えばデータベースなどを用いて管理する。利用者は、利用者用情報参照端末１２３０に実装された健康データ項目設定過程１１０と健康データ改善経路設定過程１２０を用いて、健康データ項目と健康データ改善経路を設定する。
【００６１】
すると運用者用処理サーバ１２２０に実装された健康管理効果算出過程１３０が実行され、運用者用データベースサーバ１２１０に管理されている健康データを参照して健康管理効果を算出し、算出結果を利用者用情報参照端末１２３０に送信する。すると利用者用情報参照端末１２３０に実装された健康管理効果表示過程１４０が実行され、利用者に健康管理効果が提示される。第７の実施例によって、第１から第６の実施例で説明した健康管理方法が実現されることで、利用者の健康管理を支援することができるという効果が得られる。
【００６２】
なお、第１から第７の実施例においては、説明上、健康度は値が大きいほど健康であることを示し、その値はおよそ２０から３０までを取るものと仮定したが、本仮定を満たさない健康度も本発明において使用可能である。例えば、値が小さいほど健康である健康度や、０から１の定義域を取る健康度、負の値を取る健康度等でもよい。このように健康度が異なる場合、健康管理効果表示過程１４０の表示方法を変更することにより、本方法を実現できる。
【００６３】
また、第１の実施例から第７の実施例において、健康管理効果表示領域３００の表示方法として等高線図を採用したが、他の表示方法も使用可能である。例えば、色の濃淡を利用した表示方法を使用してもよい。その場合、健康管理効果表示過程１４０の表示方法を変更することにより、本方法を実現できる。また、例えば、色の濃淡を利用した表示方法を使用した場合、図４で等高線の間隔として表現した健康度の傾斜をより詳細に表現できるという効果が得られる。
【００６４】
また、第７の実施例のシステム構成は一例であり、第７の実施例として示した構成以外のシステム構成によって本発明の方法を実現することも可能である。例えば、健康データ送信端末１２００を複数の保険者や健康関係施設に設置したシステム構成も可能である。この構成の場合、保険者・本方法を実装したシステムの運用者・利用者の広域的なネットワーク化、例えば、自治体の広域的健康管理ネットワークの構築等が可能になるという効果が得られる。
【００６５】
また、利用者用情報参照端末１２３０を多数の利用者毎、例えば自宅などに設置したシステム構成も可能である。この構成の場合、在宅医療システムや高齢者の緊急事態検出システム等と類似した形態での健康管理が可能になるという効果が得られる。また、運用者用データベースサーバ１２１０と運用者用処理サーバ１２２０を１台のサーバとして実現するシステム構成も可能である。この構成も可能なことで、運用者は自身にとってより望ましいシステム構成を選択して実現できるという効果が得られる。
【００６６】
本発明によれば、健康管理データ項目設定過程と健康データ改善経路設定過程によって多彩な組み合わせの健康データ改善経路を設定できるため、多彩な健康管理方法に対してその効果を算出できるようになり、利用者別に健康管理方法をカスタマイズできるという効果が得られる。
【００６７】
さらに、健康管理効果算出過程によって、利用者の設定に従って、健康データ改善経路上の複数の点で健康度が算出されるため、目標達成までの経過を定量的かつ詳細を把握でき、健康管理を支援できるという効果が得られる。また、健康管理の対象とする健康データ項目と健康データ改善穂方とを設定可能にし、健康データ改善途上の健康度の変化を定量的かつ詳細に算出して表示し利用者の健康管理を効果的に支援する。
【００６８】
【発明の効果】
本発明によれば、健康データから算出した健康度などを活用して健康管理に寄与する健康管理支援方法および健康管理装置を提供できる。
【図面の簡単な説明】
【図１】本発明の第１の実施例の処理フローの一例を説明する図。
【図２】本発明の第１の実施例の健康データ改善経路設定過程の処理フローの一例を説明する図。
【図３】本発明の第１の実施例の健康管理効果表示過程を実現する装置の画面例。
【図４】本発明の第１の実施例の健康管理効果表示領域を概念的に示す図。
【図５】本発明の第２の実施例の健康データ項目設定過程の処理フローの一例を説明する図。
【図６】本発明の第３の実施例の現健康データ設定過程の処理フローの一例を説明する図。
【図７】本発明の第４の実施例の目標健康データ設定処理の処理フローの一例を説明する図。
【図８】本発明の方法を実装した装置の健康管理効果表示過程を実現する装置の画面例。
【図９】本発明の第５の実施例の健康データ改善経路設定処理の処理フローの一例を説明する図。
【図１０】本発明の第６の実施例の健康管理効果表示過程の処理フローの一例を説明する図。
【図１１】本発明の第６の実施例の健康管理効果表示過程を実現する装置の画面例。
【図１２】本発明の第７の実施例のシステム構成の一例を表すブロック図。
【符号の説明】
１００…処理の開始、１１０…健康データ項目設定過程、１２０…健康データ改善経路設定過程、１３０…健康管理効果算出過程、１４０…健康管理効果表示過程、１５０…処理の終了、２００…過程の開始、２１０…現健康データの設定、２２０…目標健康データの設定、２３０…健康データ改善経路の設定、２４０…過程の終了、３００…健康管理効果表示領域、３１０…健康データ項目表示領域、３２０…健康データ改善経路表示領域、３３０…健康度変化表示領域、４０１、４０２…現健康データ、４１１、４１２…目標健康データ、４２１、４２２…健康データ改善経路、４３１、４３２…健康度、４５１、４５２…健康データ改善経路に沿った健康度の変化のグラフ表示、５００…処理の開始、５１０…健康データ項目設定支援過程の利用に関する条件分岐、５２０…健康データ項目設定処理、５３０…健康データ項目設定支援過程、５４０…健康データ項目抽出処理、５５０…抽出結果設定処理、５６０…処理の終了、６００…処理の開始、６１０は現健康データ設定支援過程の利用に関する条件分岐、６２０…現健康データ設定処理、６３０…現健康データ設定支援過程、６４０…最新健康データ抽出処理、６５０…抽出結果設定処理、６６０…処理の終了、７００…処理の開始、７１０…目標健康データ設定支援過程の利用に関する条件分岐、７２０…目標健康データ設定処理、７３０…目標健康データ設定支援過程、７４０…条件文の形態を判定する条件分岐、７５０…目標健康データ算出処理、７５１…算出結果設定処理７６０…最低健康度入力処理、７６１…目標健康データ領域算出処理、７６２…最適健康データ算出処理、７６３…算出結果設定処理、７７０…処理の終了、８００…現健康データ、８１０…条件を満たす健康データの集合、８２０…選出された健康データ、９００…処理の開始、９１０…健康データ改善経路設定支援過程の使用に関する条件分岐、９２０…健康データ改善経路設定処理、９３０…健康データ改善経路設定支援過程、９４０…健康データ改善経路算出処理、９５０…算出結果設定処理、９６０…処理の終了、１０００…処理の開始、１０１０…健康度算出過程、１０２０…健康管理効果算出過程、１０３０…処理の終了、１１００…健康管理改善経路、１１１０…健康度、１２００…健康データ送信端末、１２１０…運用者用データベースサーバ、１２２０…運用者用処理サーバ、１２３０…利用者用情報参照端末。
【図１】
2004246521.tif 000003
【図２】
2004246521.tif 000004
【図３】
2004246521.tif 000005
【図４】
2004246521.tif 000006
【図５】
2004246521.tif 000007
【図６】
2004246521.tif 000008
【図７】
2004246521.tif 000009
【図８】
2004246521.tif 000010
【図９】
2004246521.tif 000011
【図１０】
2004246521.tif 000012
【図１１】
2004246521.tif 000013
【図１２】
2004246521.tif 000014